(57)【特許請求の範囲】
【請求項１】
電子マネーと代替品とを交換可能にする交換機と、
前記交換機との間で前記電子マネーの送受信が可能であり、課金対象となる機器を遠隔操作するリモコンと、
前記リモコンとの間で双方向の通信が可能な課金装置と、を備え、
前記リモコンは、第１操作体と、第２操作体と、前記電子マネーを記憶する第１記憶部と、前記第１操作体が操作されると、前記第１記憶部に記憶した前記電子マネーを前記課金装置に転送する第１制御部と、を備え、
前記課金装置は、前記リモコンから転送された前記電子マネーを、前記機器の使用時間に応じて減算し、この減算した結果が所定値に達するまで、前記機器の動作が可能になるように当該機器を制御する第２制御部と、前記減算した結果を残額として記憶する第２記憶部と、を備え、
前記第１制御部はさらに、前記第２操作体が操作されると、前記第２記憶部に記憶する前記残額を前記課金装置から取り込んで、前記第１記憶部に前記電子マネーとして更新記憶させる構成を備え、
前記第１制御部はさらに、前記第２操作体が操作されると、前記第１操作体が操作された後の前記機器の使用履歴を履歴情報として前記課金装置から取り込む構成を備え、
前記交換機は、前記リモコンとの間で前記電子マネーから前記代替品への交換を行なう毎に、前記リモコンから前記履歴情報を取り込んで蓄積保存する第３記憶部を備えたことを特徴とするリモコン電子マネー課金システム。
【請求項２】
精算機と、
前記精算機との間で電子マネーの送受信が可能であり、課金対象となる機器を遠隔操作するリモコンと、
前記リモコンとの間で双方向の通信が可能な課金装置と、を備え、
前記リモコンは、第１操作体と、第２操作体と、前記電子マネーを記憶する第１記憶部と、第１制御部と、を備え、
前記課金装置は、前記第１操作体が操作された後に、前記機器の使用時間に応じて前記電子マネーを加算し、この加算した結果が所定値を超えると、その旨を報知させる第２制御部と、前記加算した結果を加算額として記憶する第２記憶部と、を備え、
前記第１制御部は、前記第２操作体が操作されると、前記第２記憶部に記憶する前記加算額を前記課金装置から取り込んで、前記第１記憶部に前記電子マネーとして更新記憶させる構成を備え、
前記第１制御部はさらに、前記第２操作体が操作されると、前記第１操作体が操作された後の前記機器の使用履歴を履歴情報として前記課金装置から取り込む構成を備え、
前記精算機は、前記リモコンとの間で前記電子マネーの精算を行なう毎に、前記リモコンから前記履歴情報を取り込んで蓄積保存する第３記憶部を備えたことを特徴とするリモコン電子マネー課金システム。
【発明の詳細な説明】
【技術分野】
【０００１】
本発明は、例えば病院で患者向けのテレビや冷蔵庫などを、専用のリモコン（遠隔操作機器）を用いて有料課金するリモコン電子マネー課金システムに関する。
【背景技術】
【０００２】
従来、病院床頭台に設置されたテレビや冷蔵庫などの有料課金は、例えば特許文献１に開示される磁気カードや、特許文献２に開示される「Ｆｅｌｉｃａ（登録商標）」や「ＭＹＦＡＲＥ（登録商標）」のような非接触式カードなどのプリペイドカードを有料で購入し、これらのカードをカード式課金装置に挿入して、カードから読み取った残金に対応した時間だけ、テレビの視聴や冷蔵庫の利用を可能にするものが知られている。そして磁気カードは、残金が無くなった場合に別のカードを再購入する一方で、非接触式カードは、残金が無くなった場合に入金機でカードに入金し、そのカードを継続的に利用していた。
【先行技術文献】
【特許文献】
【０００３】
【特許文献１】特開２００５−１０７５７０号公報
【特許文献２】特開２００７−２９３３８０号公報
【発明の概要】
【発明が解決しようとする課題】
【０００４】
しかし、上述したプリペイドカードによる課金システムでは次のような問題点がある。
【０００５】
磁気カードを用いた方式では、課金装置が比較的安価ではあるものの、磁気ヘッドでカードの読み書きをするため、カードの汚れなどによる動作異常が起きやすい。また、カードのコピーが容易であり、不正防止のために高額券が作れず、1000円券程度の金額のものが一般的であるため、入院中に複数回カード購入の手間が発生する。さらに、カードは再利用せずに使い捨てであるため、例えばカード原価が１枚25円として、400床の病院で一か月一床当たり3000円（＝３枚）の使用があるとすると、１か月のカード費用は３×400×25＝３万円で、１年では36万円の無駄が発生する。これは課金システムを７年程度のリースで調達した場合に、無視できない金額となる。
【０００６】
一方、再利用できる非接触式カードは使い捨てではなく、磁気カードのような無駄は発生しない上に、カードの汚れなどでも動作異常が起きにくい。また、カードはコピーができずに高額券を作ることができるため、滞留金が増えて高い資金運用が可能となる。しかし、カード原価が磁気カードに比べて高額（200〜500円）であり、カードを紛失した場合の保証金（デポジット）が必要となる。また、カードを読み書きする専用のカードインターフェースが高額であり、課金装置および周辺装置のコストが上昇するため、課金システム全体の投資金額が増えて採算性が悪化する。
【０００７】
そこで、本発明は上記問題点に鑑み、磁気カード方式と非接触式カードの利点を同時に実現して、機器の使用に応じた有料課金を可能にするリモコン電子マネー課金システムを提供することを目的とする。
【課題を解決するための手段】
【０００８】
本発明のリモコン電子マネー課金システムは、電子マネーと代替品とを交換可能にする交換機と、前記交換機との間で前記電子マネーの送受信が可能であり、課金対象となる機器を遠隔操作するリモコンと、前記リモコンとの間で双方向の通信が可能な課金装置と、を備え、前記リモコンは、第１操作体と、第２操作体と、前記電子マネーを記憶する第１記憶部と、前記第１操作体が操作されると、前記第１記憶部に記憶した前記電子マネーを前記課金装置に転送する第１制御部と、を備え、前記課金装置は、前記リモコンから転送された前記電子マネーを、前記機器の使用時間に応じて減算し、この減算した結果が所定値に達するまで、前記機器の動作が可能になるように当該機器を制御する第２制御部と、前記減算した結果を残額として記憶する第２記憶部と、を備え、前記第１制御部はさらに、前記第２操作体が操作されると、前記第２記憶部に記憶する前記残額を前記課金装置から取り込んで、前記第１記憶部に前記電子マネーとして更新記憶させる構成を備え、前記第１制御部はさらに、前記第２操作体が操作されると、前記第１操作体が操作された後の前記機器の使用履歴を履歴情報として前記課金装置から取り込む構成を備え、前記交換機は、前記リモコンとの間で前記電子マネーから前記代替品への交換を行なう毎に、前記リモコンから前記履歴情報を取り込んで蓄積保存する第３記憶部を備えている。
【０００９】
また本発明のリモコン電子マネー課金システムは、精算機と、前記精算機との間で電子マネーの送受信が可能であり、課金対象となる機器を遠隔操作するリモコンと、前記リモコンとの間で双方向の通信が可能な課金装置と、を備え、前記リモコンは、第１操作体と、第２操作体と、前記電子マネーを記憶する第１記憶部と、第１制御部と、を備え、前記課金装置は、前記第１操作体が操作された後に、前記機器の使用時間に応じて前記電子マネーを加算し、この加算した結果が所定値を超えると、その旨を報知させる第２制御部と、前記加算した結果を加算額として記憶する第２記憶部と、を備え、前記第１制御部は、前記第２操作体が操作されると、前記第２記憶部に記憶する前記加算額を前記課金装置から取り込んで、前記第１記憶部に前記電子マネーとして更新記憶させる構成を備え、前記第１制御部はさらに、前記第２操作体が操作されると、前記第１操作体が操作された後の前記機器の使用履歴を履歴情報として前記課金装置から取り込む構成を備え、前記精算機は、前記リモコンとの間で前記電子マネーの精算を行なう毎に、前記リモコンから前記履歴情報を取り込んで蓄積保存する第３記憶部を備えている。 
【発明の効果】
【００１０】
本発明によれば、本来は機器を遠隔操作するだけのリモコンに、交換機または精算機や課金装置との間で電子マネーを受け渡す機能を付加させることで、従来の磁気ヘッドや専用のカードインターフェースを不要にして、課金装置の設置場所を節約すると共に、課金装置の製造原価を低減できる。また、磁気カードのような使い捨ても回避でき、ランニングコストを低減してエコにつなげることができる。さらに、リモコンはカードと違ってコピーによる偽造ができず、カードよりも高額の電子マネーを利用できるので、滞留金が増えて高い資金運用が可能になると共に、使用者がわざわざカードを購入する手間も省ける。したがって、磁気カード方式と非接触式カードの利点を同時に実現して、機器の使用に応じた有料課金を可能にするリモコン電子マネー課金システムを提供できる。 
【００１１】
本発明によれば、交換機による代替品への交換や、精算機による電子マネーの精算処理ができなくなるので、リモコンの保管さえ注意すれば、カード式のような盗難を防ぐことが可能になる。 
【００１２】
本発明によれば、システム内の機器全体の使用状況を交換機や精算機で一元管理することができ、第３記憶部から読み出した全ての履歴情報から、システム全体の売り上げなどを示す申告用の利用リストを簡単に作成したり、各課金装置のタイマーチェックやセンターサーバーなどを不要にしたりすることが可能となる。
【図面の簡単な説明】
【００１３】
【図１】本発明の実施例１におけるリモコン電子マネー課金システムの外観図である。
【図２】同上、リモコンの正面図である。
【図３】同上、リモコンの電気的構成を示すブロック図である。
【図４】同上、課金装置の電気的構成を示すブロック図である。
【図５】同上、リモコン入金機の電気的構成を示すブロック図である。
【図６】同上、リモコン精算機の電気的構成を示すブロック図である。
【図７】同上、入金時における動作手順を示す説明図である。
【図８】同上、出金時における動作手順を示す説明図である。
【図９】本発明の実施例２におけるリモコン電子マネー課金システムの外観図である。
【図１０】同上、床頭台の正面図である。
【図１１】同上、課金装置と他の機器との接続例を示す説明図である。
【図１２】同上、リモコンの正面図である。
【図１３】同上、パスワードの表示とキーとの対応関係を示すリモコンの部分正面図である。
【図１４】同上、リモコンの背面図である。
【図１５】同上、夜間照明ボタンとして割り当てられたキーを示す図である。
【図１６】同上、精算装置の電気的構成を示すブロック図である。
【図１７】同上、課金装置とリモコンとの間の電子データのやり取りを示す説明図である。
【図１８】同上、処理用パソコンの表示部に案内画面を表示させた状態の図である。
【図１９】同上、処理用パソコンの表示部に処理内容選択画面を表示させた状態の図である。
【図２０】同上、処理用パソコンの表示部に新規貸出画面を表示させた状態の図である。
【図２１】同上、処理用パソコンの表示部に中間精算画面を表示させた状態の図である。
【図２２】同上、処理用パソコンの表示部に退院精算画面を表示させた状態の図である。
【図２３】同上、処理用パソコンの表示部に利用明細画面を表示させた状態の図である。
【図２４】同上、テレビに途中精算要求画面を表示させた状態の図である。
【図２５】同上、テレビに消灯時間案内画面を表示させた状態の図である。
【発明を実施するための形態】
【００１４】
以下、本発明におけるリモコン電子マネー課金システム（以下、単に課金システムという）の好ましい実施形態について、添付図面を参照しながら説明する。なおここでは、特に病院に設置された課金システムについて詳しく説明する。
【実施例１】
【００１５】
本発明の実施例１における前精算方式の課金システムについて、図１は、病院向け課金システム１の外観構成を示したものである。同図において、課金システム１は、複数の病室内部Ａに各々設置される課金装置２や、遠隔操作機器として専用のＩＲ送受信機機能を有するリモコン３や、電源制御部４の他に、病室外部Ｂに設置されるリモコン入金機５とリモコン精算機６を備えて構成される。リモコン入金機５は好ましくは複数台用意され、例えば病院の各階に各々設置される。リモコン精算機６は、データを一元管理するのに例えば病院の出入り口に一台だけ単独に設置される。
【００１６】
病室内部Ａには、課金装置２によりその動作が制御されるテレビ７や冷蔵庫８が設置される。そして、テレビ７の下部に課金装置２を一体的に装着した状態で、課金装置２、電源制御部４、テレビ７および病室冷蔵庫８が、病室内部Ａの病床毎に設置された移動可能な床頭台（図示せず）に収容保持される。
【００１７】
テレビ７は、リモコン３からの赤外線信号を受信するＩＲ（赤外線）受信部１１を備え、課金装置２とテレビ７は無線または有線の通信手段１３で直接接続される。また本実施形態のテレビ７は、テレビ７の動作状態を検出するテレビ動作検出部１５と、課金装置２からの制御信号に応じて、リモコン３からの赤外線信号の受入れを許可または禁止するテレビ動作制御部１６を、それぞれ内蔵する。なお、テレビ７自体にテレビ動作検出部１５が組み込まれていない場合、図示しない電源コンセントとテレビ７の電源プラグとの間に、テレビ７に流れ込む電流値を検出する負荷電流検出手段を、テレビ７に外付けのテレビ動作検出部１５として設けてもよい。その詳細は、特許第３７６０４６６号公報に開示されている。
【００１８】
電源制御部４は、電源コンセントと冷蔵庫８の電源プラグとの間に設けられ、課金装置２からの制御信号を受けて、冷蔵庫８への電源供給を許可または禁止するものである。冷蔵庫８は周知のように、庫内に収容した物品を低温で保管するもので、電源制御部４は冷蔵庫８以外にも、様々な負荷の電源供給を制御することが可能である。
【００１９】
課金装置２は、リモコン３やテレビ７との双方向通信を可能にするＩＲ送受信部１７を備え、他に表示部として、冷蔵庫８の使用可能な期間を日数で表示する日数表示器１８や、テレビ７の視聴可能な期間を電子マネーの残金額として表示する残金表示器１９などを備えている。本実施形態では、課金装置２とリモコン３との間で、赤外線信号による各種データの送受信が行われる構成となっており、リモコン３はテレビ７のみならず、課金装置２との間でも赤外線通信を可能とする専用リモコンとなっている。
【００２０】
リモコン入金機５は、課金システム１の利用者である患者が、リモコン３を用いて現金を電子マネーに交換する際に利用する機器である。リモコン入金機５の正面には、リモコン３を着脱自在に挿入できるリモコン挿入口２１や、現金の投入口となる紙幣入口２２が配設され、また表示部として、リモコン３に電子マネーとして入金された金額を表示するリモコン金額表示器２５や、紙幣入口２２に投入された紙幣の総額を表示する投入金額表示器２６が配設される。
【００２１】
リモコン精算機６は、患者の退院時などに、リモコン３にチャージされた電子マネーを精算して現金に交換する際に利用する機器である。リモコン精算機６の正面には、リモコン３を着脱自在に挿入できるリモコン挿入口３１や、精算時に押動操作される精算ボタン３２や、リモコン３に記憶された電子マネーに相当する残金額を表示する表示部としての精算金額表示部３３や、残金額を硬貨として払出出力する硬貨払出口３４が設けられる。
【００２２】
図１に示すリモコン入金機５やリモコン精算機６は、交換機としてそれぞれ別体に設けられているが、これらは一体でも構わない。また、現金以外の有価媒体を電子マネーの代替品としてもよい。さらに図示しないが、紙幣入口２２に投入された現金や、硬貨払出口３４から排出される現金の受取りを証明するために、紙による領収書を出力するレシート出力ユニットを、リモコン入金機５やリモコン精算機６にオプションで装備してもよい。
【００２３】
図２は、図１に示すリモコン３単体の正面図である。本実施形態におけるリモコン３は、主にテレビ７を遠隔操作するためのテレビ操作体として、電源キー４１、地上波放送チャンネルのダイレクト選局キー４２、病院案内用のＳＤキー４３、衛星デジタル放送チャンネルの選局切替キー４４、音量調整キー４５、外部入力切替キー４６、字幕キー４７、画面表示キー４８、消音キー４９、カーソルキー５０、決定キー５１、番組表キー５２、戻るキー５３をそれぞれ備え、主に課金装置２を遠隔操作するための課金装置操作体として、退院キー５４、返金キー５５、送金キー５６、冷蔵庫予約キー５７、冷蔵庫予約戻しキー５８をそれぞれ備えている。その他にリモコン３は、リモコン３にチャージされた電子マネーを、リモコン残金として表示する残金表示器５９や、赤外線通信のための受光素子や発光素子を含むＩＲ送受信部６０などを備えている。なお、図２に示すリモコン３の各部の配置や形状は、適宜変更が可能である。
【００２４】
図３は、リモコン３の電気的構成を示したものである。リモコン３は、例えばマイクロコンピュータのＣＰＵにより構成されるリモコン制御部６５を備え、このリモコン制御部６５に、操作部６７と、表示部６８と、計時部６９と、ＩＲ送受信部６０と、外部機器接続部７０と、電子マネー記憶部７１と、履歴情報記憶部７２と、識別子記憶部７３がそれぞれ接続される。操作部６７は、図２に示す各種キー４１〜５８に相当するもので、表示部６８は、図２に示す残金表示器５９に相当するものである。外部機器接続部７０は、リモコン入金機５やリモコン精算機６との間で、各種データをやり取りするためのもので、本実施形態では非接触のＩＲ送受信部６０と一体化して構成されるが、例えばコネクタなどのＩＲ受信部６０とは別な部品でもよい。計時部６９は、時刻をカウントした時刻データをリモコン制御部６５に出力するもので、この時刻データは、例えばリモコン３により電子マネーの入出金処理を行なった日付時刻を決定するのに用いられる。
【００２５】
リモコン記憶部を構成する電子マネー記憶部７１と、履歴情報記憶部７２と、識別子記憶部７３は、電子マネーと、履歴情報と、識別子をそれぞれ記憶するものである。電子マネーは、課金システム１において現金と同等の価値を有する数値データで、ここでは便宜上、現金と同じ金額単位（円）であるとして説明する。履歴情報記憶部７２に記憶保持される履歴情報は、テレビ７や冷蔵庫８を含む課金対象の全ての機器の使用履歴をデータ化した機器履歴情報の他に、そのリモコン３自体の使用履歴をデータ化したリモコン履歴情報を含んだデータである。機器履歴情報には、各機器の項目別に利用した金額や日時が含まれており、リモコン履歴情報には、リモコン３で入出金処理を行なった時の金額や日付時刻が含まれている。識別子は、病床毎に設けられた複数の課金装置２やリモコン３を個々に識別するためのデータで、リモコン３の識別子記憶部７３には、そのリモコン３に固有の識別子であるリモコン識別子と、ＩＲ送受信部６０を通して通信が確立された課金装置３の識別子である課金装置識別子が、それぞれ記憶保持される。
【００２６】
リモコン記憶部にはその他に、コンピュータによるリモコン制御部６５を、電子マネー制御処理部７５と、履歴情報制御処理部７６と、識別子制御処理部７７の各手段として機能させるためのプログラムが記憶保持される。つまりリモコン制御部６５は、リモコン３の各部を所定の手順で動作させるために、電子マネー制御処理部７５と、履歴情報制御処理部７６と、識別子制御処理部７７と、をそれぞれ備えている。
【００２７】
電子マネー制御処理部７５は、課金装置２や、リモコン入金機５や、リモコン精算機６との間で電子マネーを受け渡す機能や、リモコン３内部で電子マネーを演算処理する機能を有する。また電子マネー制御処理部７５は、電子マネー記憶部７１に記憶する電子マネーから換算した金額を、残金表示器５９に表示させる表示制御部としての機能も備えている。
【００２８】
履歴情報制御処理部７６は、課金装置２やリモコン精算機６との間で機器履歴情報を受け渡す機能や、計時部６９からの時刻データと、前述した電子マネーの受け渡しに基づいて、リモコン３自体のリモコン履歴情報を生成し、これを履歴情報記憶部７２に記憶させる機能を有する。
【００２９】
識別子制御処理部７７は、課金装置２との間で識別子を受け渡す機能や、ＩＲ送受信部６０を通して受信した課金装置２からの課金装置識別子と、識別子記憶部７３に記憶した課金装置識別子との比較により、その課金装置２との間でデータのやり取りを行なうか否かを判別する機能を有する。
【００３０】
図４は、課金装置２の電気的構成を示したものである。課金装置２は、例えばマイクロコンピュータのＣＰＵにより構成される課金装置制御部８１を備え、この課金装置制御部８１に、表示部８２と、計時部８３と、ＩＲ送受信部１７と、課金対象機器接続部８５と、電子マネー記憶部８６と、履歴情報記憶部８７と、識別子記憶部８８がそれぞれ接続される。表示部６８は、図１に示す日数表示器１８と残金表示器１９に相当するものである。課金対象機器接続部７０は、電源制御部４やテレビ７の通信ユニット１２への接続を可能にするもので、ここではテレビ動作検出部１５からの動作検出信号を受け取り、またテレビ７や冷蔵庫８の動作を制御する制御信号を送り出すのに設けられる。計時部８３は、時刻をカウントした時刻データを課金装置制御部８１に出力するもので、その時刻データは、例えばテレビ７や冷蔵庫８を利用した日時（動作開始の日付時刻と動作終了の日付時刻）を決定するのに用いられる。
【００３１】
課金装置記憶部を構成する電子マネー記憶部８６と、履歴情報記憶部８７と、識別子記憶部８８は、リモコン３と同様に、電子マネーと、履歴情報と、識別子をそれぞれ記憶するものである。但し履歴情報記憶部８７には、課金装置２で制御されるテレビ７や冷蔵庫８の機器履歴情報だけが記憶保持され、リモコン履歴情報は記憶されない。また、課金装置２の識別子記憶部８８には、その課金装置２に固有の課金装置識別子と、ＩＲ送受信部１７を通して通信が確立されたリモコン３に固有のリモコン識別子が、それぞれ記憶保持される。
【００３２】
課金装置記憶部にはその他に、コンピュータによる課金装置制御部８１を、機器制御処理部９１と、電子マネー制御処理部９２と、履歴情報制御処理部９３と、識別子制御処理部９４の各手段として機能させるためのプログラムが記憶保持される。つまり課金装置制御部８１は、リモコン３およびこれに接続する各機器を所定の手順で動作させるために、機器制御処理部９１と、電子マネー制御処理部９２と、履歴情報制御処理部９３と、識別子制御処理部９４と、をそれぞれ備えている。
【００３３】
機器制御処理部９１は、電子マネー記憶部８６に記憶する電子マネーの値に基づいて、課金装置２に接続するテレビ７や冷蔵庫８の動作を制御するものである。機器制御処理部９１から動作許可信号が送出されると、テレビ７や冷蔵庫８は動作可能な状態となる一方、機器制御処理部９１から動作禁止信号が送出されると、テレビ７や冷蔵庫８は動作不可能な状態となる。
【００３４】
電子マネー制御処理部９２は、課金装置２との間で電子マネーを受け渡す機能や、課金装置２内部で電子マネーを演算処理する機能を有する。特に電子マネーの演算処理では、計時部８３からの時刻データで得られるテレビ７や冷蔵庫８の動作する使用時間が、一定値（例えばテレビ７では１分、冷蔵庫では１日）に達する毎に、電子マネー記憶部７１に記憶する電子マネーを減算して書き換え更新させる機能を有する。また電子マネー制御処理部９２は、その電子マネーから換算した冷蔵庫８の使用可能日数と金額を、日数表示器１８と残金表示器１９にそれぞれ表示させる表示制御部としての機能も備えている。
【００３５】
なお、上記電子マネーの演算処理では、課金装置２に電子マネーを受け渡した際に、機器制御処理部９１から動作許可信号が送出されてテレビ７や冷蔵庫８は動作可能な状態になり、テレビ７や冷蔵庫８の使用の有無にかかわらず、課金装置２の使用時間が一定値（例えば１日）に達する毎に、電子マネー記憶部７１に記憶する電子マネーを一定額減算して書き換え更新させる構成にしてもよい。この場合は、電子マネー制御処理部９２は、その電子マネーから換算した課金装置２の使用可能日数と金額を、日数表示器１８と残金表示器１９にそれぞれ表示させる表示制御部としての機能も備えている。この構成によると、電子マネー制御処理部９２の簡素化が実現可能になる。
【００３６】
履歴情報制御処理部９３は、計時部８３からの時刻データと、電子マネー制御処理部９２による電子マネーの演算結果から、課金装置２により制御されるテレビ７や冷蔵庫８の個別の利用金額や利用日時を機器履歴情報として生成し、これを履歴情報記憶部８７に記憶させる機能を有する。
【００３７】
識別子制御処理部９４は、リモコン３との間で識別子を受け渡す機能や、ＩＲ送受信部１７を通して受信したリモコン３からのリモコン識別子と、識別子記憶部８８に記憶したリモコン識別子との比較により、そのリモコン３との間でデータのやり取りを行なうか否かを判別する機能を有する。
【００３８】
図５は、リモコン入金機５の電気的構成を示したものである。リモコン入金機５は、例えばマイクロコンピュータのＣＰＵにより構成される入金制御部１０１を備え、この入金制御部１０１に、紙幣入力部１０２と、表示部１０３と、計時部１０５と、リモコン接続部１０６がそれぞれ接続される。代替品入力部としての紙幣入力部１０２は、リモコン３をリモコン挿入口２１に装着している間に、紙幣入口２１から投入された紙幣を計数し、その計数データを入金制御部１０１に出力するもので、投入された紙幣はリモコン入力機５の内部に収容保管される。表示部１０３は、図１に示すリモコン金額表示器２５と投入金額表示器２６に相当するものである。計時部１０５は、時刻をカウントして入金制御部１０１に出力するもので、計時部１０５からの時刻データは、紙幣から電子マネーに演算で交換されたときの日時を決定して、例えばオプションで領収書を出力する際に領収日時として印刷するのに用いられる。リモコン接続部１０６は、リモコン３をリモコン挿入口２１に装着すると、そのリモコン３の外部機器接続部７０と電気的に接続するもので、本実施形態では非接触式のＩＲ送受信部で構成されるが、代わりにコネクタなどを用いてもよい。
【００３９】
なお本実施形態では、一種類（1000円札）の紙幣だけを紙幣入口２２に投入できる構成となっているが、複数種類の紙幣や硬貨を投入できる場合は、上記計数データだけでなく紙幣や硬貨の種類を特定するデータも入金制御部１０１に出力する構成とするのが好ましい。
【００４０】
リモコン入金機５の記憶部（図示せず）には、コンピュータによる入金制御部１０１を、電子マネー制御処理部１０９として機能させるためのプログラムが記憶保持される。電子マネー制御処理部１０９は、紙幣入力部１０２からの計数データに基づき、紙幣入口２１に投入された紙幣の額から、その額に応じた電子マネーを算出する機能を有する。算出された電子マネーは、リモコン接続部１０６を通してリモコン３に送り出される。
【００４１】
図６は、リモコン精算機６の電気的構成を示したものである。リモコン精算機６は、例えばマイクロコンピュータのＣＰＵにより構成される出金制御部１１０を備え、この入金制御部１０１に、精算ボタン３２と、生産金額表示部３３と、残金出金部１１１と、計時部１１２と、リモコン接続部１１３と、プリンタ接続部１１４と、全履歴情報記憶部１１５がそれぞれ接続される。代替品出力部としての残金出金部１１１は、リモコン３をリモコン挿入口３１に装着している間に、精算ボタン３２が操作されると、そのリモコン３の電子マネー記憶部７１に記憶される電子マネーから、出金制御部１１０で算出される残金額に相当する硬貨を、硬貨払出口３４に排出するもので、リモコン精算機６の内部には、残金出金部１１１で排出可能な複数種類の硬貨が予め収容保管される。計時部１１２は、時刻をカウントして出金制御部１１０に出力するもので、計時部１１２からの時刻データは、電子マネーから現金に演算で交換されたときの日時を決定して、例えばオプションで領収書を出力する際に領収日時として印刷するのに用いられる。リモコン接続部１１３は、リモコン３をリモコン挿入口３１に装着すると、そのリモコン３の外部機器接続部７０と電気的に接続するもので、本実施形態では非接触式のＩＲ送受信部で構成されるが、代わりにコネクタなどを用いてもよい。プリンタ接続部１１４は、リモコン精算機６とプリンタ（図示せず）とを電気的に接続するもので、このプリンタ接続部１１４を通して全履歴情報記憶部１１６に記憶される履歴情報のリストをプリンタで印刷出力することが可能になる。なお、残金出金部１１１は硬貨だけでなく、紙幣を排出できる構成としてもよく、プリンタをリモコン精算機６に内蔵させてもよい。
【００４２】
全履歴情報記憶部１１５は、リモコン３をリモコン挿入口３１に装着した状態で、精算ボタン３２が操作される毎に、そのリモコン３の履歴情報記憶部７２に保存されている履歴情報を蓄積記憶するもので、履歴情報には前述の機器履歴情報やリモコン履歴情報が含まれる。したがって全履歴情報記憶部１１５には、病床毎に設置された全てのリモコン３からの履歴情報が蓄積されることになる。
【００４３】
リモコン精算機６の記憶部にはその他に、コンピュータによる出金制御部１１０を、電子マネー制御処理部１１６と、履歴情報制御処理部１１７として機能させるためのプログラムが記憶保持される。電子マネー制御処理部１１６は、リモコン３をリモコン挿入口３１に装着した状態で、精算ボタン３２が操作されると、そのリモコン３の電子マネー記憶部７１に記憶される電子マネーから残金額を算出する機能を有する。履歴情報制御処理部１１７は、リモコン３をリモコン挿入口３１に装着した状態で、精算ボタン３２が操作されると、そのリモコン３の履歴情報記憶部７２に保存される履歴情報を全履歴情報記憶部１１５に転送する機能を有する。
【００４４】
次に、上記課金システム１の構成について、その作用を図７や図８の説明図を参考にして詳しく説明する。
【００４５】
先ず入金時の動作手順から説明すると、病床毎に設置される全てのリモコン３には、予めリモコン識別子として個別のＩＤ番号が各々割り当てられている。また、全ての課金装置２にも、予め課金装置識別子として個別のＩＤ番号が各々割り当てられている。リモコンコン３の識別子記憶部７３に記憶されるリモコン識別子や、課金装置２の識別子記憶部８８に記憶される課金装置識別子は、容易に書き換えできない構成となっている。
【００４６】
ここで、図７のステップＳ０に示すように、リモコン識別子として例えば「001」のＩＤ番号を有するリモコン３を、入院時に患者に預けたとする。ここで渡されるリモコン３は初期化されており、履歴情報記憶部７２に記憶される履歴情報や、識別子記憶部７３に記憶される課金装置識別子の値はクリアされ、電子マネー記憶部７１に記憶される電子マネーの値は０になっている。なおこれらは、リモコン３が初期状態であると認識できる別な値でも構わない。初期化されたリモコン３は、入院時の各種病院案内や病床でのテレビ操作説明時に患者に渡される。その際に好ましくは、リモコン３のＩＤ番号と患者名を控えておくと、クレーム対応時に便利になる。
【００４７】
この後、患者がリモコン入金機５でリモコン３に必要な電子マネーを入金記憶させ、病床の課金装置２にその電子マネーを移行させる。具体的には、リモコン入金機５のリモコン挿入口２１にリモコン３を挿入し、リモコン３がリモコン入金機５に装着されたのを入金制御部１０１が認識した状態で、紙幣入口２１に紙幣として1000円札を投入すると、その投入枚数に応じた計数データが紙幣入力部１０２から入金制御部１０１に出力され、紙幣の投入金額が投入金額表示器２６に表示される。また電子マネー制御処理部１０９は、紙幣入力部１０２からの計数データに基づき、投入金額を電子マネーに変換する計算を行ない、その電子マネーの額をリモコン金額表示器２５に表示させる。リモコン入金機５からリモコン３に計算された電子マネーが送出されると、リモコン３の電子マネー制御処理部７５は、電子マネー記憶部７１に記憶される電子マネーの額と、リモコン入金機５からの電子マネーの額を加算し、その結果を新たな電子マネーの額として電子マネー記憶部７１に記憶保持（チャージ）させる。
【００４８】
例として、ステップＳ０に示すような初期状態のリモコン３をリモコン入金機５のリモコン挿入口２１に挿入して、紙幣入口２２に千円札を５枚投入すると、次のステップＳ１のように、リモコン３の電子マネー記憶部７１に5000円分の電子マネーがそのままチャージされる。また、電子マネー記憶部７１に記憶される電子マネーの額が０以外の場合も、その額とリモコン入金機５からの電子マネーの額とを加算した新たな額が、電子マネー記憶部７１にチャージされる。このときのリモコン入金機５への最大入金金額は紙幣入力部１０２で任意に設定でき、必要以上の電子マネーがリモコン３にチャージできない構成になっている。
【００４９】
この後、電子マネーをチャージしたリモコン３を病床の課金装置２に向けて、送金キー５６を押動操作すると、通信を確立したリモコン３と課金装置２の双方で識別子による認証が行われる。リモコン３の識別子制御処理部７７は、識別子記憶部７３に記憶される課金装置識別子の値がクリアされている初期状態で、課金装置２の識別子記憶部８８から課金装置識別子の値を読み込み、この値を識別子記憶部７３に上書き更新して記憶させる。同様に課金装置２の識別子制御処理部９４は、識別子記憶部８８に記憶されるリモコン識別子の値がクリアされている初期状態で、リモコン３の識別子記憶部７３からリモコン識別子の値を読み込み、この値を識別子記憶部８８に上書き更新して記憶させる。これ以降、リモコン制御部６５は、識別子記憶部７３に記憶される課金装置識別子の値がクリアされるまで、認証した特定の課金装置２だけとデータのやり取りを許可し、それ以外の課金装置２との間のデータのやり取りを禁止する。また、課金装置制御部８１も、識別子記憶部８８に記憶されるリモコン識別子の値がクリアされるまで、認証した特定のリモコン３だけとデータのやり取りを許可し、それ以外のリモコン３との間のデータのやり取りを禁止する。
【００５０】
こうして、リモコン３と課金装置２との間で認証が行われると、リモコン３の電子マネー記憶部７１にチャージされる電子マネーが課金装置２に移行される。これを受けて課金装置２の電子マネー制御処理部９２は、電子マネー記憶部８６に記憶される電子マネーの額と、リモコン３からの電子マネーの額を加算し、その結果を新たな電子マネーの額として電子マネー記憶部８６に記憶保持させる。またリモコン３の電子マネー制御処理部７５は、この加算した分をそれまで電子マネー記憶部７１にチャージされていた電子マネーから減算し、その結果を新たな電子マネーとして電子マネー記憶部７１に記憶保持させる。
【００５１】
但し電子マネー制御処理部９２は、電子マネー記憶部８６に記憶される電子マネーの額と、リモコン３からの電子マネーの額を加算した結果が、予め設定した上限値を超える場合は、その上限値を電子マネー記憶部８６に記憶保持させると共に、リモコン３の電子マネー制御処理部７５は、この上限値まで加算した分をそれまで電子マネー記憶部７１にチャージされていた電子マネーから減算し、その結果を新たな電子マネーとして電子マネー記憶部７１に記憶保持させる。
【００５２】
例としてステップＳ１では、識別装置識別子の値がクリアされた初期状態のリモコン３に、5000円分の電子マネーがチャージされている。このリモコン３を、リモコン識別子の値がクリアされた初期状態の課金装置２に向け、電子マネーの移行のために送金キー５６を押動操作すると、ステップＳ１’において、リモコン３と課金装置２の双方で識別子の確認が行われ、課金装置２に固有の課金装置識別子として、その課金装置２から読み出したＩＤ番号「101」がリモコン３の識別子記憶部７３に記憶される一方で、リモコン３に固有のリモコン識別子として、そのリモコン３から読み出したＩＤ番号「001」が、課金装置２の識別子記憶部８８に記憶される。
【００５３】
また、初期状態では課金装置２の電子マネー記憶部８６に記憶される電子マネーの額は０なので、課金装置２の電子マネー制御処理部９２は、リモコン３にチャージされている電子マネーの額である5000円を、そのまま新たな電子マネーの額として加算し、電子マネー記憶部８６に記憶保持させる。これと共に、リモコン３にチャージされる電子マネーの額は減算されて０円となる。
【００５４】
こうして、課金装置２の電子マネー記憶部８６に必要な額の電子マネーが記憶保持されると、課金装置２の機器制御処理部９１からテレビ７のテレビ動作制御部１６に動作許可信号が送出され、その電子マネーの額が０になるまでテレビ７を利用できる。これにより、オフ状態のテレビ７に向けてリモコン３の電源キー４１を押動操作すると、テレビ７は機器制御処理部９１からの動作許可信号により直ちに起動し、リモコン３のダイレクト選局キー４２や選局切替キー４４で選局されるテレビ放送の視聴が可能になる。また課金装置２の電子マネー制御処理部９２は、テレビ動作検出部１５からの検出信号を受けて、テレビ７の動作する使用時間を算出し、その使用時間に応じて電子マネー記憶部８６に記憶される電子マネーの値を減算する。この新たな電子マネーの値は電子マネー記憶部８６にその都度上書き更新され、残金表示器１９に常時表示される。電子マネーの値が０になると、機器制御処理部９１からテレビ動作制御部１６に動作禁止信号が送出され、リモコン３やテレビ７をいかに操作しても、テレビ７は動作不可能になる。
【００５５】
また、テレビ７にＳＤカードのようなリムーバブルメモリの読取り装置が装備される場合、そのＳＤカードに病院案内に関する動画ファイルを予め保存しておけば、リモコン３のＳＤキー４３を押動操作したときに、この動画ファイルをテレビ７で視聴することができる。その他、リモコン３によるテレビ７の遠隔操作方法については広く知られているので、説明を省略する。
【００５６】
また冷蔵庫８の利用は、リモコン３の冷蔵庫予約キー５７と冷蔵庫予約戻しキー５８を用いる。課金装置２の電子マネー制御処理部９２は、冷蔵庫予約キー５７が押動操作される毎に、冷蔵庫８の所定期間（例えば１日）の利用料金（例えば200円）に相当する額を、電子マネー記憶部８６に記憶される電子マネーから差し引く。これにより、冷蔵庫予約キー５７の押動回数に比例した予約金額が先に差引かれ、その予約金額に応じた予約期間中に、冷蔵庫８への電源供給が可能となる。一方、冷蔵庫予約戻しキー５８を押動操作すると、残った予約金額がテレビ７で利用できる電子マネーに戻される。冷蔵庫８を利用できる期間は、課金装置２の日数表示器１８に常時表示され、機器制御処理部９１は機器制御部４に対して、冷蔵庫用の電子マネーが０になるまで動作許可信号を送出し、冷蔵庫８への電源供給を可能にするが、冷蔵庫用の電子マネーが０になると動作禁止信号を送出し、冷蔵庫８への電源供給を不可能にする。なお、ここでの冷蔵庫８は、先に利用に応じた利用料金を差し引く予約課金としているが、テレビ７のように実際の動作時間に応じて利用料金を決定する従量課金としてもよい。逆に、テレビ７を予約課金としてもよい。
【００５７】
こうした課金対象機器の利用に伴い、課金装置２の電子マネー残金が不足した場合は、再度リモコン入金機５を利用してリモコン３に電子マネーを補充する。例えばステップＳ２に示すように、リモコン入金機５によりリモコン３に3000円分の電子マネーをチャージし、このリモコン３を病床の課金装置２に向けて送金キー５６を押動操作すると、ステップＳ１，Ｓ１’において認証済のリモコン３と課金装置２との間で、電子マネーのデータ移行が可能になる。この場合、例として課金装置２に4000円の電子マネーが残っていて、課金装置２における電子マネーの上限値が5000円に設定されていれば、ステップＳ２’のように、課金装置２の電子マネー記憶部８６に記憶保持される電子マネーの額は上限値の5000円となる一方で、リモコン３にチャージされる電子マネーの額は1000円減算されて2000円となる。
【００５８】
このように、本実施形態の課金システム１では、リモコン入金機５による追加入金が可能であるが、リモコン３と課金装置２にチャージされる電子マネーの合計金額が上限値の限度額を超える場合、超過した分の課金装置２への入金は拒否され、リモコン３にチャージされる電子マネーも減額されない。
【００５９】
一方、ステップＳ３のように、リモコン識別子として例えば「004」のＩＤ番号を有する別なリモコン３を、「001」のＩＤ番号を有するリモコン３との間で認証が行われた後の課金装置２に向けて、送金キー５６を押動操作しても、リモコン３と課金装置２の双方に記憶されるリモコン識別子と課金装置識別子が共に一致しない限り、その間でデータのやり取りは行われない。またステップＳ４のように、「101」のＩＤ番号を有する課金装置２との間で認証が行われた後のリモコン３を、別な病床に設置された「102」のＩＤ番号を有する課金装置２に向けて、送金キー５６を押動操作しても、やはりリモコン３と課金装置２の双方に記憶されるリモコン識別子と課金装置識別子が共に一致せず、その間でデータのやり取りは行われない。したがって、これらの場合はリモコン３と課金装置２との間で電子マネーの移行は不可能となる。
【００６０】
なお、入院中に患者が床頭台を残したまま、リモコン３を持って別の病床に移動した場合は、移動前の課金装置２に記憶される電子マネーや機器履歴情報やリモコン識別子を取り込んで、その課金装置２を初期状態に戻した後、移動後の別な課金装置２にこれらのデータを転送するデータ転送用のリモコン（図示せず）を備えるのが好ましい。これにより、移動後の病床においても、リモコン３と課金装置２との間で電子マネーなどの各種データの移行が円滑に行なえる。
【００６１】
次に、出金時の動作手順を説明すると、図８のステップＳ１１に示すように、患者が退院時にリモコン３を課金装置２に向けて、退院キー５４を押動操作すると、認証済のリモコン３と課金装置２との間でデータのやり取りが可能となり、テレビ７や冷蔵庫８などの機器を使用した後の電子マネーの残額がリモコン３に戻される。つまり、課金装置２の電子マネー制御処理部９２は、電子マネー記憶部８６に記憶する電子マネーの残額（1500円）をリモコンに送り出して０円に書き換えさせ、これを受けてリモコン３の電子マネー制御処理部７５は、電子マネー記憶部７１に記憶される電子マネーの額（0円）と、課金装置２からの電子マネーの残額を加算し、その結果である1500円を新たな電子マネーの額として電子マネー記憶部７１に記憶保持させる。
【００６２】
それに加えてリモコン３と課金装置２は、互いの認証を解除するのに、リモコン３の識別子記憶部７３に記憶される課金装置識別子の値を、識別子制御処理部７７によってクリアし、また課金装置２の識別子記憶部８８に記憶されるリモコン識別子の値を、識別子制御処理部９４によってクリアする。これにより課金装置２は、リモコン識別子のＩＤ番号と、テレビ７や冷蔵庫８の残時間に相当する電子マネーの残額がすべて初期化され、次の患者の利用が可能になる。ステップＳ１１’は、課金装置２からリモコン３に電子マネーが戻され、リモコン３に記憶される課金装置識別子と、課金装置２に記憶されるリモコン識別子が共にクリアされた状態が示されている。
【００６３】
上述した動作は、退院キー５４を短時間で押した場合には受け付けず、長押しした場合にのみ受け付ける構成としてもよい。これにより、退院キー５４の誤操作を防ぐことができる。また、リモコン３と課金装置２との認証を解除せず、課金装置２からリモコン３の電子マネーの残額だけを戻す場合には、返金キー５５を押動操作する。この場合、返金キー５５を短時間で押す毎に、テレビ７と冷蔵庫８の利用可能残時間に対応した電子マネーの全残額から、一定額（例えば100円）の電子マネーがリモコン３に戻され、返金キー５５を長押しすると、電子マネーの全残額がリモコン３に戻される。こうしてリモコン３に戻された電子マネーは、テレビ７や冷蔵庫８以外の例えばコインランドリーに設置した課金対象機器に利用できる。
【００６４】
なおステップＳ１１で、別な認証されていないリモコン３を課金装置２に向けて、退院キー５４を押動操作しても、上述したようにリモコン３と課金装置２との間でデータのやり取りは行われず、課金装置２の残金をリモコン３に戻すことは不可能となる。このように、課金装置２の残金は他の病床で使用するリモコン３では使用できないので、患者が病床を離れる場合に、リモコン３の保管さえ注意すれば、カード式のような盗難を防ぐことができる。
【００６５】
この後、患者がリモコン３をリモコン精算機６のリモコン挿入口３１に挿入し、精算ボタン３２を押動操作すると、そのリモコン３の電子マネー記憶部７１に記憶される電子マネーから、現金として支払うべき残金額が電子マネー制御処理部１１６で算出され、その残金額に相当する硬貨が、残金出金部１１１を通して硬貨払出口３４に排出される。そしてステップＳ１２に示すように、リモコン３の電子マネー記憶部７１に記憶される電子マネーは０になり、リモコン３は前記ステップＳ０における初期状態に戻る。こうして患者は、リモコン精算機６を利用して、リモコン３内の電子マネーを現金化することができ、その後の初期化されたリモコン３は、患者から病院側の管理担当者に返却される。
【００６６】
上述した入金から出金までの一連の動作で、リモコン３の履歴情報記憶部７２には、課金装置２や、リモコン入力機５や、リモコン精算機６との間の電子マネーによる入出金処理の日付時刻や金額が、そのリモコン３のリモコン履歴情報として過去30件分記憶される。なお、リモコン履歴情報の記憶件数は適宜変更可能である。これにより、各リモコン３を通した電子マネーの入出金履歴が個別に確認できる。
【００６７】
また課金装置２の履歴情報制御処理部９３は、特定のリモコン３との間でデータのやり取りができる間に、テレビ７や冷蔵庫８が何時どの程度の金額利用されたのかを機器履歴情報として履歴情報記憶部８７に記憶させており、この機器履歴情報は前記ステップＳ１１’で課金装置２からリモコン３の履歴情報記憶部７２に転送され、さらにステップＳ１２でリモコン精算機６の全履歴情報記憶部１１５に転送される。特にリモコン精算機６の履歴情報制御処理部１１７は、リモコン３をリモコン挿入口３１に装着した状態で、精算ボタン３２が操作される毎に、そのリモコン３の履歴情報記憶部７２に保存される履歴情報を全履歴情報記憶部１１５に転送するので、各病床に設置した課金装置２の全ての売り上げがリモコン精算機６で把握でき、リモコン精算機６による課金システム１の統合管理が可能となる。
【００６８】
なお、患者が上述した出金処理を行なわずに退院した場合には、課金装置２が初期化されず、次の利用が不可能になる。そこで本実施形態では、どの課金装置２にもデータのやり取りが可能な保守リモコン（図示せず）を備え、この保守リモコンで課金装置２の電子マネーを回収し、且つ課金装置２を初期化させることで、次の利用を可能にする。
【００６９】
リモコン３と、課金装置２、リモコン入金機５、リモコン精算機６との間でＩＲ通信される各種のデータは、セキュリティの関係で何れも暗号化される。したがってこれらの各装置には、暗号化手段と復号化手段がそれぞれ配設される。リモコン３は、テレビ７に応じた通信データフォーマットを設定できる機能を有する。これにより、どのメーカーのテレビ７が設置された場合でも、共通のリモコン３でテレビ７を遠隔操作できる。
【００７０】
また本実施形態では、リモコン精算機６の計時部１１２をメインクロックとして、他の計時部６９，８３，１０５との間で時刻カウントを同期させている。つまり、リモコン３とリモコン精算機６との間でデータのやり取りが行われている間に、計時部１１２の時刻データをリモコン３に取り込んで計時部６９の時刻データを同期させ、リモコン３と課金装置２、およびリモコン３とリモコン入金機５との間も、同様に時刻データの同期が行われる。また、計時部６９，８３，１０５，１１２の時刻データの何れかが、同期できない程著しくずれている場合は、保守用リモコンを用いて全ての時刻データを同期させる。保守用リモコンはリモコン３と同等の機能を有し、課金システム１を構成する全ての装置と無条件でデータのやり取りが可能となっている。
【００７１】
リモコン３に対する保証金を利用者に課す場合は、リモコン入金機５で現金を電子マネーに交換する際に、その一部をデポジットとして徴収し、リモコン精算機６で電子マネーから現金に交換する際に、同額を返却すればよい。
【００７２】
以上のように、本実施形態の課金システム１は、電子マネーと代替品である現金との交換を可能にする交換機としてのリモコン入金機５やリモコン精算機６と、これらの交換機との間で電子マネーの送受信が可能であり、課金対象となる機器として例えばテレビ７を遠隔操作するリモコン３と、リモコン３との間で双方向の通信が可能な課金装置２とを備えている。そしてリモコン３は、第１操作体としての送金キー５６と、第２操作体としての退院キー５４と、電子マネーを記憶する第１記憶部としての電子マネー記憶部７１と、送金キー５６が操作されると、電子マネー記憶部７１に記憶した電子マネーを課金装置２に転送する第１制御部としてのリモコン制御部６５とを備え、課金装置２は、リモコン３から転送された電子マネーを、テレビ７や冷蔵庫８の使用時間に応じて減算し、この減算した結果が所定値である０に達するまで、テレビ７や冷蔵庫８の動作が可能になるように、これらのテレビ７の動作を制御する第２制御部としての課金装置制御部８１と、前記減算した結果を残額すなわち残金額として記憶する第２記憶部としての電子マネー記憶部８６と、を備え、リモコン制御部６５はさらに、退院キー５４が操作されると、電子マネー記憶部８６に記憶する電子マネーの残金額を課金装置２から取り込んで、電子マネー記憶部７１に新たな電子マネーとして更新記憶させる構成を備えている。
【００７３】
この場合、課金装置２との専用の双方向通信機能を持ったリモコン３を、予め患者に預けておけば、リモコン入金機５を利用して現金から電子マネーへの交換を行った後、この電子マネーをリモコン３の電子マネー記憶部７１に記憶させて、送金キー５６の操作により課金装置２に移行させるだけで、テレビ７などの各種機器が利用可能となる。課金装置２はテレビ７の使用時間に応じて電子マネーを減算し、その結果を残額として電子マネー記憶部８６に記憶するが、残額が不足した場合には、リモコン入金機５で補充した電子マネーをリモコン３から課金装置２に再度移行させることで、テレビ７を継続的に利用できる。そして、テレビ７の利用終了時にリモコン３の退院キー５４を操作すると、電子マネー記憶部８６に記憶する残額が課金装置２からリモコン３に戻され、リモコン精算機６による現金への交換が可能になる。
【００７４】
このように、本来はテレビ７を遠隔操作するだけのリモコン３に、リモコン入金機５やリモコン精算機６や課金装置２との間で電子マネーを受け渡す機能を付加させることで、従来の磁気ヘッドや専用のカードインターフェースを不要にして、課金装置２を小型化することができ、床頭台での課金装置２の設置場所を節約できると共に、課金装置２の製造原価を低減できる。また、磁気カードのような使い捨ても回避でき、ランニングコストを低減してエコにつなげることができる。さらに、リモコン３はカードと違ってコピーによる偽造ができず、カードよりも高額の電子マネーを利用できるので、滞留金が増えて高い資金運用が可能になると共に、使用者がわざわざカードを購入する手間も省ける。したがって、磁気カードを用いることによる無駄を省き、非接触式カードのようなコスト上昇を回避して、テレビ７の使用に応じた有料課金を可能にする課金システム１を提供できる。
【００７５】
また、本実施例形態のリモコン制御部６５はさらに、リモコン３の退院キー５４が操作されると、送金キー５６が操作された後のテレビ７や冷蔵庫８の使用履歴を履歴情報の中の機器履歴情報として課金装置２から取り込む構成を、履歴情報制御処理部７６として備えており、またリモコン精算機６は、リモコン３との間で電子マネーから現金への交換を行なう毎に、リモコン３から機器履歴情報を取り込んで蓄積保存する第３記憶部としての全履歴情報記憶部１１５を備えている。
【００７６】
これにより、課金装置２からリモコン３に電子マネーを戻す際に、テレビ７や冷蔵庫８のそれまでの使用状況が機器履歴情報としてリモコン３に取り込まれ、リモコン精算機６でその電子マネーを現金に交換すると、リモコン３に取り込まれた機器履歴情報がリモコン精算機６に転送される。この機器履歴情報は、電子マネーから現金への交換を行なう度にリモコン精算機６に取り込まれ、リモコン３からの全ての機器履歴情報が全履歴情報記憶部１１５に蓄積保存される。したがって、課金システム１内の機器全体の使用状況を交換機で一元管理でき、全履歴情報記憶部１１５から読み出した全ての機器履歴情報から、課金システム１全体の売り上げなどを示す申告用の利用リストを簡単に作成したり、各課金装置２のタイマーチェックやセンターサーバーなどを不要にしたりすることが可能となる。
【００７７】
また、本実施形態におけるリモコン３は、送金キー５６が操作されると、課金装置２に個別に割り当てられた課金装置識別子を、その課金装置２から取り込んで記憶する第４記憶部としての識別子記憶部７３を備え、課金装置２は、送金キー５６が操作されると、リモコン３に個別に割り当てられたリモコン識別子を、そのリモコン３から取り込んで記憶する第５記憶部としての識別子記憶部８８を備え、課金装置２から取り込んだ課金装置識別子と、識別子記憶部７３に記憶する課金装置識別子が一致し、且つリモコン３から取り込んだリモコン識別子と、識別子記憶部８８に記憶するリモコン識別子が一致した時にのみ、リモコン３と課金装置２との間の双方向の通信を許可する構成を備えている。
【００７８】
この場合、最初にリモコン３の送金キー５６を操作すると、課金装置２に固有の課金装置識別子とリモコン３に固有のリモコン識別子が、リモコン３の識別子記憶部７３と課金装置２の識別子記憶部８８にそれぞれ記憶され、リモコン３と課金装置２は互いの通信先が認識される。その後、別なリモコン３を用いて課金装置２から電子マネーを取り込んだり、別な課金装置２にチャージされた電子マネーをリモコン３に取り込んだりしようと試みても、リモコン３と課金装置２との間で双方向の通信が許可されず、結果的にリモコン精算機６により現金への交換ができなくなるので、リモコン３の保管さえ注意すれば、カード式のような盗難を防ぐことが可能になる。
【実施例２】
【００７９】
図９〜図２５は本発明の実施例２における課金システム１’を示し、上記実施例１と同一部分に同一符号を付し、共通する箇所の説明を極力省略して詳述する。
【００８０】
図９は、病院向け課金システム１’の外観構成を示したもので、これは実施例１の課金システム１とは異なり後精算方式となっているため、リモコン入金機５およびリモコン精算機６の代わりに、精算装置１３０を備えて構成される。精算装置１３０は、データを一元管理するのに、病室外部Ｂの例えば病院の窓口に単独で設置される。その他、課金装置２やリモコン３’の電気的構成は、実施例１で説明したものと共通するが、異なる機能についてはその都度説明する。
【００８１】
病室内部Ａには、テレビ７の上部に課金装置２を一体的に装着した状態で、課金装置２，テレビ７および病室冷蔵庫８が、病床毎に設置された移動可能な床頭台１２０に収容保持される。図１０に示すように、床頭台１２０は、リモコン３’を収容可能なリモコン収容部１２１と、リモコン収容部１２１の前面開口を開閉する出し入れ可能な引き出し１２２とを備え、引き出し１２２には錠前機構１２３や、リモコン収容部１２１に臨むアクリルなどの窓板１２４が配設される。これにより、リモコン３’を収容したリモコン収容部１２１の前部開口を引き出し１２２で閉じた状態で、図示しない鍵を用いて錠前機構１２３を施錠すると、引き出し１２２がロックされてリモコン３’がリモコン収容部１２１から取り出せなくなる。
【００８２】
リモコン収容部１２１にはリモコン充電部（図示せず）が装備され、図１０に示す方向でリモコン収容部１２１にリモコン３’を正しく挿入収容した際に、リモコン３’が充電される。また、リモコン３’の充電中は充電ランプ１２５が点灯し、リモコン収容部１２１の前面開口を引き出し１２２で閉じた状態であっても、透明な窓板１２４を通してリモコン３’や充電ランプ１２５の状態が視認できる。リモコン３’は電池交換が不要な充電方式を実現するために、例えばニッケル水素充電池のような二次電池（図示せず）が、リモコン３’の各部を動作する電源として組み込まれる。
【００８３】
再度図９に戻り、精算装置１３０は患者にリモコン３’を貸し出す際、および精算時または退院時に、リモコン３’に記憶された電子マネーを精算する際に、病院側の管理担当者が使用する機器である。精算装置１３０は、精算処理端末１３１、処理用パソコン１３２およびプリンタ１３３から構成される。精算処理端末１３１の正面には、リモコン３’を着脱自在に挿入できるリモコン挿入口１３５や、プリンタ１３３から履歴情報のリストを印刷出力する際に押動操作される履歴印字ボタン１３６や、リモコン３’に記憶されたリモコン識別子を表示するリモコンＩＤ表示部１３７が設けられる。処理用パソコン１３２は、汎用のパーソナルコンピュータを使用することができ、これは周知のように、制御処理部を内蔵する装置本体１３９や、マウスやキーボードなどの操作部１４０や、液晶モニターなどの表示部１４１で構成される。プリンタ１３３はいわゆるレシートプリンタとして、複数の押し釦式キーを有する操作パネル１４３や、熱によってロール状の紙媒体Ｋに印字を行なう印字部１４４などを主な構成要素としている。なお、処理用パソコン１３２に精算処理端末１３１の機能の一部または全部を備えるように構成してもよい。
【００８４】
図１１は、タイマー部となる課金装置２と他の課金対象機器との接続例を示すものである。本実施形態では、冷蔵庫８に庫内を冷却するペルチェ素子（図示せず）が組み込まれる関係で、冷蔵庫８が電源制御部４を介さず制御線１５１により課金装置２に直接制御される。これにより課金装置２は、冷蔵庫８の主電源をオンオフするのではなく、冷蔵庫８への制御信号によりペルチェ素子を予冷と冷却で切替制御することで、主電源のオンオフに伴うペルチェ素子のヒートショック破損を回避するようにしている。
【００８５】
またここでは、ＬＡＮ課金制御装置１５２や電話課金制御装置１５３が、各々通信線１５４，１５５を介して課金装置２と接続される。ＬＡＮ課金制御装置１５２は、病院内のＬＡＮ回線１５６に接続され、その正面に設けたＬＡＮ接続口１５７にパソコンなどの端末機器（図示せず）を接続すると、ＬＡＮ回線１５６による通信の使用時間に応じた課金額のデータが、通信線１５４を経由して課金装置２に送出される。また、電話課金制御装置１５３は、病院内の電話回線と電話機１５８との間に接続され、電話機１５８による通話時間に応じた課金額のデータが、通信線１５５を経由して課金装置２に送出される。
【００８６】
図１２は、本実施形態におけるリモコン３’単体の正面図である。リモコン３’は、地上波放送チャンネルのダイレクト選局キー４２が選局切替キー４２’に、病院案内用のＳＤキー４３がＳＤ切替キー４３’に、消音キー４９が音声切替キー４９’に、返金キー５５および送金キー５６が精算キー５５’に変更された他は、実施例１のリモコン３と同様のキーおよび機能を備えている。この中で、選局切替キー４２’，４４や、ＳＤ切替キー４３’は、何れも表面に「▲」なる記号を形成した上キーと、「▼」なる記号を形成した下キーとを上下に配置して構成され、音量調整キー４５は、表面に「＋」なる記号を形成した＋キーと、「−」なる記号を形成した−キーとを上下に配置して構成される。
【００８７】
またキーの配置として、リモコン３’の正面には、電源キー４１の下方に、左側より順に、病院案内用のＳＤ切替キー４３’、衛星デジタル放送チャンネルの選局切替キー４４、地上波放送チャンネルの選局切替キー４２’、および音量調整キー４５が、一列に並んで配置される。このようなキーの配置にすることにより、図１２に示すように、例えば課金装置２からの残金盗難防止のために、１の位の数値は音量調整キー４５、10の位の数値は地上波放送チャンネルの選局切替キー４２’、100の位の数値は衛星デジタル放送チャンネルの選局切替キー４４、1000の位の数値は病院案内用のＳＤ切替キー４３’のそれぞれで、リモコン３’に４桁のパスワードを任意に設定できるようにすれば、残金表示器５９に表示される各桁のセグメント配置とキーの配置が対応するため、直感的にパスワードの設定入力操作が可能になる。なお、図１２に示すリモコン３’の各部の配置や形状は、適宜変更が可能である。また、残金盗難防止機能の詳細については、後程説明する。
【００８８】
図１４に示すように、リモコン３’の背面には夜間照明ＬＥＤとしてのランプ１４６が配設される。また図１５は、夜間照明ボタン１４７として割り当てられたカーソルキー５０、決定キー５１、番組表キー５２、戻るキー５３を示している。本実施形態のリモコン制御部６５は、消灯時間帯にのみ有効になる照明機能を付加するために、実施例１で説明した各処理部７５，７６，７７の他に、計時部６９からの時刻データが特定の時間帯である病院の消灯時間帯（例えば、21：00〜6：00の間）にある場合に、夜間照明ボタン１４７の中の何れかのキーが押動操作されると、ランプ１４６を一定時間点灯動作させ、ランプ１４６の点灯中に夜間照明ボタン１４７の何れかのキーを再度押動操作すると、ランプ１４６を消灯させるランプ制御処理部としての機能を備えている。
【００８９】
なお、上記照明機能が利用できる時間帯や、その利用が可能か否かは、リモコン３’で適宜設定できる。また、夜間照明ボタン１４７の押動操作に伴うランプ１４６の点灯時間も、例えば10秒から10分までの範囲で設定できるが、リモコン３’に搭載する二次電池の消耗を考慮すると、２分程度の設定とするのが好ましい。
【００９０】
図１６は、リモコン挿入口１３５に装着したリモコン３’との間で、各種データのやり取りを可能にする精算装置１３０の電気的構成を示したものである。精算処理端末１３１は、例えばマイクロコンピュータのＣＰＵにより構成される端末制御部１４８を備え、この端末制御部１４８に、計時部１１２’と、リモコン接続部１１３’と、プリンタ接続部１１４’と、パソコン接続部１４９と、全履歴情報記憶部１１５’がそれぞれ接続される。パソコン接続部１４９は、精算処理端末１３１と操作用端末としての処理用パソコン１３２とを電気的に接続するもので、精算処理端末１３１と処理用パソコン１３２とを連動させることにより、リモコン３’の新規貸出処理や精算処理などを行なう構成となっている。
【００９１】
計時部１１２’、リモコン接続部１１３’、プリンタ接続部１１４’、および全履歴情報記憶部１１５’については、実施例１のリモコン精算機６と概ね同等の機能を有する。計時部１１２’は、時刻をカウントして端末制御部１４８に出力するもので、計時部１１２’からの時刻データは、電子マネーから現金に演算で交換されたときの日時や、リモコン３’を新たに貸し出すときの日時を決定するのに用いられる。リモコン接続部１１３’は、リモコン挿入口１３５に装着したリモコン３’の外部機器接続部７０と電気的に接続するものである。プリンタ接続部１１４’は、精算処理端末１３１とプリンタ１３３とを電気的に接続するもので、履歴印字ボタン１３６を押動操作すると、リモコン３’の電子マネー記憶部７１から読み出した電子マネー情報や、履歴情報記憶部７２から読み出した履歴情報に基づくリストを、プリンタ１３３で印刷出力することが可能になる。
【００９２】
精算処理端末１３１の記憶部にはその他に、コンピュータによる端末制御部１４８を、電子マネー制御処理部１１６’と、履歴情報制御処理部１１７’として機能させるためのプログラムが記憶保持される。電子マネー制御処理部１１６’は、リモコン３’をリモコン挿入口１３５に装着した状態で、中間精算や退院精算を行なうために、処理用パソコン１３２の操作部１４０が操作されると、そのリモコン３’の電子マネー記憶部７１に記憶される電子マネーに相当する金額を算出する機能を有する。この金額の算出は、履歴印字ボタン１３６を押動操作したときにも行なわれる。履歴情報制御処理部１１７’は、リモコン３’をリモコン挿入口１３５に装着した状態で、そのリモコン３’の履歴情報記憶部７２に保存される履歴情報を全履歴情報記憶部１１５に転送する機能を有する。
【００９３】
図１７は、課金装置２とリモコン３’との間の電子データのやり取りを示す図である。同図において、課金装置２の電子マネー記憶部８６は、電子マネーの記憶領域として、課金装置利用合計金額Ｋの記憶領域８６Ａと、初回の外部機器利用合計金額Ｒａの記憶領域８６Ｂと、初回以降の外部機器利用合計金額Ｒｂの記憶領域８６Ｃと、初回の外部出金合計金額Ｓａの記憶領域８６Ｄと、初回以降の外部出金利用合計金額Ｓｂの記憶領域８６Ｅと、初回のリモコン保有金額Ｔａの記憶領域８６Ｆと、規定額Ｍの記憶領域８６Ｇとを備えている。記憶領域８６Ａに記憶される課金装置利用合計金額Ｋとは、電子マネー制御処理部９２で算出される図中（Ａ）〜（Ｄ）の合計値、すなわち課金装置２を通して利用されるテレビ７や、冷蔵庫８や、電話機１５８や、ＬＡＮ回線１５６などの課金装置利用金額を合計したもので、その金額は利用に応じて増加する。また、電子マネー制御処理部９２は、第１実施例のものに加えて、記憶領域８６Ａに記憶する課金装置利用合計金額Ｋが、記憶領域８６に記憶する規定額Ｌを超えた場合に、課金装置利用合計金額Ｋを超えない最大の金額で、規定額Ｍの整数倍Ｎの金額を、課金装置出金金額Ｅ＝Ｍ×Ｎとして算出する第１演算部９２Ａとしての機能と、課金装置利用合計金額Ｋから課金装置出金金額Ｅを差し引いた金額を、課金装置未精算金額Ｑ（＝Ｋ−Ｅ）として算出する第２演算部９２Ｂとしての機能を備えている。
【００９４】
なお、記憶領域８６Ｇに記憶する規定額Ｍは任意の値に設定できるが、中間精算時に課金装置出金金額Ｅが端数とならないように、最低100円単位とするのが好ましい。
【００９５】
リモコン３’の電子マネー記憶部７１は、電子マネーの記憶領域として、外部機器利用合計金額Ｒの記憶領域７１Ａと、外部出金合計金額Ｓの記憶領域７１Ｂと、初回のリモコン保有金額Ｔａの記憶領域７１Ｃと、課金装置出金金額Ｅの記憶領域７１Ｄとを備えている。記憶領域７１Ａに記憶される外部機器利用合計金額Ｒとは、電子マネー制御処理部７５で算出される図中（Ｆ）〜（Ｉ）の合計値、すなわちランドリー機器や、共有電話や、共有パソコンなどの使用の他に、各種物品の購入に伴う外部機器利用金額を合計したもので、その金額は外部機器接続部７０から取り込まれ、使用や取引に応じて増加する。記憶領域７１Ｂに記憶さとは、リモコン３’から外部の精算装置１３０へ出金される精算金額の合計値で、精算装置１３０による精算金額は外部出金合計金額Ｓにその都度加算される。
【００９６】
本実施形態では、課金装置２とリモコン３’との間で最初の認証が行われると、その直後にリモコン３’から課金装置２に記憶領域７１Ａの外部機器利用合計金額Ｒと、記憶領域７１Ｂの外部出金合計金額Ｓが送出され、また課金装置２からリモコン３’に第１演算部７５Ａで算出した課金装置出金金額Ｅが送出される。これを受けて課金装置２は、記憶領域７１Ａの外部機器利用合計金額Ｒを、記憶領域８６Ｂに初回の外部機器利用合計金額Ｒａとして記憶し、記憶領域７１Ｂの外部出金合計金額Ｓを、記憶領域８６Ｄに初回の外部出金合計金額Ｓａとして記憶する一方、リモコン３’は課金装置２からの課金装置出金金額Ｅを記憶領域７１Ｄに記憶する。
【００９７】
またそれ以降は、特定のキーである電源キー４１を押動操作して、テレビ７をオンまたはオフにする毎に、認証済の課金装置２とリモコン３’との間で、リモコン３’の記憶領域７１Ａからの外部機器利用合計金額Ｒが、課金装置２の記憶領域８６Ｃに初回以降（すなわち、２回目から）の外部機器利用合計金額Ｒｂとして記憶され、リモコン３’の記憶領域７１Ｂからの外部出金合計金額Ｓが、課金装置２の記憶領域８６Ｅに初回以降の外部出金合計金額Ｓｂとして記憶され、課金装置２の第１演算部７５Ａで算出した課金装置出金金額Ｅが、リモコン３’の記憶領域７１Ｄに記憶される。そして、同様の電子マネーのやり取りは、課金装置２とリモコン３’の電子マネー制御処理部７５，９２により、返金ボタンである退院キー５４や精算キー５５’を押動操作したときにも行なわれる。
【００９８】
リモコン３’の電子マネー制御処理部７５は、第１実施例のものに加えて、記憶領域７１Ａに記憶する外部機器利用合計金額Ｒと、記憶領域７１Ｄに記憶する課金装置出金金額Ｅと、後述する課金装置未精算金額Ｑの合計値から、記憶領域７１Ｂに記憶する外部出金合計金額Ｓを差し引いた金額を、リモコン未精算金額Ｔ（＝Ｒ＋Ｅ＋Ｑ−Ｓ）として算出する第３演算部７５Ａとしての機能を備えている。第３演算部７５Ａは、この計算を課金装置２とリモコン３’との間で電子マネーのやり取りを行なう毎に行なうが、課金装置２とリモコン３’との間で最初の認証が行われたときにだけ、計算したリモコン未精算金額Ｔがリモコン３’の記憶領域７１Ｃに初回リモコン保有金額Ｔａとして記憶され、これがリモコン３から課金装置２に送出されて、課金装置２側の記憶領域８６Ｆにも記憶される。また、退院キー５４を押動操作したときにだけ、最終精算のために課金装置２の第２演算部９２Ｂで計算した課金装置未精算金額Ｑがリモコン３に送出され、電子マネー制御処理部７５を通して電子マネー記憶部７１に記憶される。
【００９９】
その他、本実施形態では、課金装置２の課金対象となる項目（Ａ）〜（Ｄ）の利用金額が、電子マネー記憶部８６に各々記憶され、リモコン３’の課金対象となる項目（Ｆ）〜（Ｉ）の利用金額が、電子マネー記憶部７１に各々記憶される。そして、電源キー４１や、退院キー５４や、精算キー５５’を操作すると、課金装置２の電子マネー記憶部８６に記憶される項目（Ａ）〜（Ｄ）の利用金額が、認証済のリモコン３’に転送され、その電子マネー記憶部７１に記憶保存される。これにより、課金装置１３０の表示部１４１に、項目（Ａ）〜（Ｄ）や項目（Ｆ）〜（Ｉ）の利用金額を表示させることが可能になる。
【０１００】
次に、課金装置２の残金表示器１９と、リモコン３’の残金表示器５９における表示例について、表１を参照して説明する。
【０１０１】
【表１】
0006364040.tif 000002
【０１０２】
先ず、電子マネー演算処理部９２で演算処理される各項目（Ａ）〜（Ｄ）の利用金額が表１の通りであったとすると、これらを加算した金額（＝3086円）は、課金装置利用合計金額Ｋとして記憶領域８６Ａに記憶される。また、記憶領域８６Ｇに記憶する規定額Ｍが100円単位であれば、課金装置出金金額Ｅは3000円となり、これがリモコン３’の記憶領域７１Ｄに記憶される。これにより第２演算部９２Ｂは、課金装置利用合計金額Ｋから課金装置出金金額Ｅを差し引いた金額（＝59円）を、課金装置未精算金額Ｑとして算出する。
【０１０３】
一方、電子マネー演算処理部７５で演算処理される各項目（Ｆ）〜（Ｉ）の利用金額が表１の通りであったとすると、これらを加算した金額（＝2250円）は、課金装置利用合計金額Ｒとして記憶領域８６Ａに記憶される。また、精算装置１３０によるリモコン３’との精算処理で、これまでのリモコン３’に対する精算金額Ｊ（＝4000円）が、外部出金合計金額Ｓとして記憶領域７１Ｂに記憶される。
【０１０４】
そして、リモコン３’の電子マネー演算処理部７５は、次の数１に基いて残金表示器５９に表示するリモコン表示金額を算出する。
【０１０５】
【数１】
0006364040.tif 000003
【０１０６】
ここで仮に、リモコン３’が貸出された直後の初期化された状態で、課金装置２との間で最初の認証が行われたとすると、記憶領域７１Ｃ，８６Ｆに記憶される初回リモコン保有金額Ｔａは０円となり、上記表示例でのリモコン表示金額は、０円＋3000円＋2250円−4000円＝1250円となる。この金額は、リモコン３’の未精算金額に相当する。
【０１０７】
また、患者が入院中にベッド移動する場合は、実施例１と同様に退院キー５４を操作して、移動前の課金装置２とリモコン３’との認証を解除した後、移動後の課金装置２とリモコン３’との間で認証を行なって、引き続き電子マネーのやり取りができるようにするが、移動後の課金装置２に対して最初の認証が行われたときに、リモコン未精算金額Ｔが残っていれば、それが初回リモコン保有金額Ｔａとして記憶領域７１Ｃに記憶され、上記リモコン表示金額に加算される。何れにせよ本実施形態では、リモコン３’の残金表示器５９に、課金装置２での端数分を含まない未精算金額を表示できる。
【０１０８】
なお、リモコン３’は課金装置１３０で初期化されると、記憶領域７１Ａ〜７１Ｄの各金額が０円にクリアされる。但し、それ以外の中間精算時や、外部機器利用時や、上述のベッド移動に伴う精算処理では、それに応じた金額が記憶領域７１Ａ〜７１Ｄに記憶保持される。
【０１０９】
一方、課金装置２の電子マネー演算処理部９２は、次の数２に基いて残金表示器１９に表示する課金装置表示金額を算出する。
【０１１０】
【数２】
0006364040.tif 000004
【０１１１】
ここで仮に、初期化されたリモコン３’と課金装置２との間で認証が行われたとすると、記憶領域８６Ｆに記憶する初回リモコン保有金額Ｔａの他に、記憶領域８６Ｂに記憶する初回の外部機器利用合計金額Ｒａや、記憶領域８６Ｄに記憶する外部出金合計金額Ｓａも０円となり、上記表示例での課金装置表示金額は、59円＋０円＋3000円＋（2250円−０円）−（4000円−０円）＝1309円となる。この金額は、課金装置２での端数分を含む実際の未払い金額に相当する。したがって本実施形態では、最終的に支払うべき正確な未払い金額を、課金装置２の残金表示器１９に表示することができる。
【０１１２】
さらに、退院時に退院キー５４を操作すると、第２演算部９２Ｂで算出された課金装置未精算金額Ｑがリモコン３’に移動し、電子マネー記憶部７１に記憶される。そして、課金装置１３０はリモコン３’との精算処理で、課金装置未精算金額Ｑを上記リモコン表示金額に加算し、これを未払い金として提示することで、窓口での最終支払いが完了する。
【０１１３】
次に、精算装置１３０の動作を説明する。図１８は、パソコン１３２の表示部１４１に表示される案内画面を示し、ここでリモコン３’をリモコン挿入口１３５に挿入すると、表示部１４１の表示が図１８の案内画面から、図１９の処理内容選択画面に切替わる。
【０１１４】
この処理内容選択画面は、リモコン３’の状態を文字で表すリモコン状態表示部１６１と、リモコン３’の選択可能な処理内容を「○」の記号で表すリモコン処理内容選択表示部１６２と、リモコン３’の処理内容を決定するための決定表示部１６３と、処理を中止するための中止表示部１６４とを含んでいる。例として、図１９ではリモコン挿入口１３５に挿入したリモコン３’が利用中で、中間精算を行なう状態にあることが、「利用中中間精算」なる文字でリモコン状態表示部１６１に表示され、また「中間精算」に関する処理内容を選択できることが、リモコン処理内容選択表示部１６２で表示されている。
【０１１５】
処理用パソコン１３２の装置本体１３９は、リモコン挿入口１３５に挿入したリモコン３’の状態に応じて、そのリモコン３’に対する処理内容を自動的に選択する機能を有する。例えば、リモコン３’の電子マネー記憶部７１が０円にクリアされ、初期化されている場合は、新規貸出に関する処理内容を自動的に選択し、「新規貸出」に対応したリモコン処理内容選択表示部１６２を表示させる。また、リモコン３’の履歴情報記憶部７２に、精算キー５５’を直前に操作した履歴情報が含まれていれば、途中精算に関する処理内容を自動的に選択し、「中間精算」に対応したリモコン処理内容選択表示部１６２を表示させる。さらに、リモコン挿入口１３５に挿入したリモコン３’の履歴情報記憶部７２に、退院キー５４を直前に操作した履歴情報が含まれていれば、退院精算に関する処理内容を自動的に選択し、「退院精算」に対応したリモコン処理内容選択表示部１６２を表示させる。これら以外の場合は、リモコン３’の初期化に関する処理内容を自動的に選択し、「初期化」に対応したリモコン処理内容選択表示部１６２を表示させる。
【０１１６】
そして、選択した処理内容を確定する場合は、決定表示部１６３に対応して操作部１４０を操作すると、その確定した処理内容に関する詳細画面が表示部１４１に表示される。例えば図１９で、選択した「新規貸出」の処理内容を確定すると、図２０の新規貸出画面に切替わる。同様に、選択した「中間精算」の処理内容を確定すると、図２１の中間精算画面に切替わり、選択した「退院精算」の処理内容を確定すると、図２２の退院精算画面に切替わる。
【０１１７】
図２０の新規貸出画面は、前述した中止処理部１６４の他に、リモコン３’のリモコン識別子を表示するリモコンＩＤ表示部１６６と、リモコン３’を貸し出す患者の氏名を表示する氏名表示部１６７や、住所を表示する住所表示部１６８や、診療科目を表示する診療科目表示部１６９と、貸出処理を実行するための貸出表示部１７０と、を含んでいる。処理用パソコン１３２には、患者の氏名，住所，診療科目を関連付けたマスターデータが記憶部（図示せず）に記憶保存されており、氏名表示部１６７を利用して患者の氏名を入力すると、それに対応した住所と選択科目が、住所表示部１６８と診療科目表示部１６９にそれぞれ自動的に表示される。そして、貸出表示部１７０に対応して操作部１４０を操作すると、リモコン３’の履歴情報記憶部７２に、貸出しを開始した旨のリモコン履歴情報が書き込まれる。
【０１１８】
図２１の中間精算画面や、図２２の退院精算画面は、前述の中止処理部１６４や、リモコンＩＤ表示部１６６や、氏名表示部１６７や、診療科目表示部１６９の他に、リモコン金額を表示するリモコン金額表示部１７１と、精算金額を表示する精算金額表示部１７２と、未精算残金額を表示する未精算残金表示部１７３と、利用明細を表示させるための明細表示部１７４と、精算処理を行なうための精算表示部１７５と、を含んでいる。
【０１１９】
この中で、リモコン金額表示部１７１に外部機器利用合計金額Ｒと課金装置利用合計金額Ｋの合計金額を表示させ、精算金額表示部１７２に外部出金合計金額Ｓを表示させ、その差額を未精算残金表示部１７３に表示させる。あるいは、中間精算画面で外部機器利用合計金額Ｒと課金装置出金金額Ｅの合計金額を表示させ、退院精算画面で外部機器利用合計金額Ｒと課金装置利用合計金額Ｋの合計金額を表示させてもよい。これらの画面では、操作部１４０により精算金額を操作入力すると、その精算金額が精算金額表示部１７２に表示される。また、精算表示部１７５に対応して操作部１４０を操作することで、リモコン３’への精算処理が行われる。特に退院精算の処理時には、リモコン３’の履歴情報記憶部７２に保存される履歴情報が、精算処理端末１３１の全履歴情報記憶部１１５’に蓄積記憶され、そのリモコン３’が初期化される。
【０１２０】
図２３は、前述の明細表示部１７４に対応して操作部１４０を操作したときに、表示部１４０に表示される利用明細画面である。この利用明細画面は、利用明細として、細目と金額をリスト状に表示する利用明細表示部１７８と、前述の中間精算画面や退院精算画面に戻るための戻る表示部１７９と、をさらに含んでいる。
【０１２１】
なお、図１８〜図２３に示す各々の表示形態は、処理用パソコン１３２の装置本体１３９に組み込まれた表示制御部が、表示部１４０に表示制御信号を送出することで実現するが、当該表示制御部を端末制御部１４８に組み込んでも構わない。また、精算処理端末１３１、処理用パソコン１３２、プリンタ１３３の一部または全てを一体化させた精算装置１３０としてもよい。
【０１２２】
そして、病院の窓口では入院する患者に対して、精算装置１３０を利用したリモコン３’の貸出処理を行なう。これは、患者に貸し出す初期化されたリモコン３’を精算処理端末１３１のリモコン挿入口１３５に挿入すると、処理用パソコン１３２の表示部１４０が図１９に示す処理内容選択画面に切替わり、そこでリモコン３’の状態が「未登録」であるとリモコン状態表示部１６１に表示され、「新規貸出」に対応してリモコン処理内容選択表示部１６２の記号が表示される。次に、決定表示部１６３に対応した操作部１４０をクリック操作すると、図２０に示す新規貸出画面に切替わり、そこで識別子記憶部７３に記憶するリモコン識別子がリモコンＩＤ表示部１６６に表示される。ここで、患者の氏名や住所や診療科目を入力し、患者からデポジット金を預かった上で、貸出表示部１７０に対応して操作部１４０をクリック操作すると、何時どの患者にリモコン３’を貸し出したのかが、履歴情報制御処理部１１７’によってリモコン履歴情報の一部としてリモコン３’の履歴情報記憶部７２に書き込まれ、リモコン３’の貸出処理が完了する。
【０１２３】
この後、病床でリモコン３’を課金装置２に向けた状態で電源キー４１を押動操作すると、リモコン３’と課金装置２の双方で識別子による認証（ペアリング）が行われる。識別子による認証については、実施例１と同様であるので説明を省略する。
【０１２４】
本実施形態では、実施例１のようなリモコン入金機５を最初に利用しなくても、リモコン３’と課金装置２との間で認証が行われると、その後は残金表示器１９に表示される残金額が、予め設定した規定金額（例えば6000円）に達するまで、テレビ７や冷蔵庫８などの課金対象機器を支障なく利用できる。しかし、残金表示器１９に表示される残金額が規定金額を超えると、電源キー４１の操作でテレビ７を起動する毎に、図２４のような精算要求画面がテレビ７に一定時間映し出され、その後はテレビ放送の視聴を可能にして、患者に対する途中精算や最終清算が促される。また、計時部８３による時刻データが消灯時間帯になると、機器制御処理部９１からテレビ動作制御部１６への動作禁止信号により、テレビ７は動作不可能になり、図２５のような消灯時間案内画面がテレビ７に映し出される。
【０１２５】
途中精算を行なう場合は、リモコン３’を課金装置２に向けた状態で、リモコン３’の精算キー５５’を押動操作すると、電源キー４１を押動操作した場合と同様に、認証済のリモコン３’と課金装置２との間で電子マネーのやり取りが行われる。またこの場合は、リモコン３’と課金装置２との認証を解除せず、識別子記憶部７３，８８はそのままの状態を保持する。
【０１２６】
この後、患者がリモコン３’を窓口に持っていき、管理担当者がそのリモコン３’を精算装置１３０のリモコン挿入口１３５に挿入すると、処理用パソコン１３２の表示部１４０が図１９に示す処理内容選択画面に切替わり、リモコン３’の状態が「利用中中間精算」であるとリモコン状態表示部１６１に表示され、「中間精算」に対応してリモコン処理内容選択表示部１６２の記号が表示される。この状態で、決定表示部１６３に対応した操作部１４０をクリック操作すると、図２１に示す中間精算画面に切替わり、管理担当者はリモコン金額表示部１７１でリモコン金額を、精算金額表示部１７２で精算金額を、さらに未精算残金表示部１７３で未清算金額を各々確認できる。
【０１２７】
そして、患者がリモコン金額表示部１７１に表示される金額の全額または一部を精算して支払うと、その精算金額が操作部１４０から操作入力される。これにより精算金額表示部１７２には新たな精算金額が表示され、未精算残金表示部１７３にはリモコン金額から精算金額を差し引いた未精算残金が表示される。リモコン金額表示部１７１に表示される全金額を支払った場合は、未精算残金が０となる。
【０１２８】
ここで、精算表示部１７５に対応して操作部１４０をクリック操作すると、未精算残金表示部１７３に表示される未精算の残金額が、リモコン３’の記憶領域７１Ｂに新たな外部出金合計金額Ｓとして上書き記憶され、途中精算の処理が完了する。これにより、リモコン３’は引き続き認証済の課金装置２との間で課金システム１’を利用できる。本実施形態では、課金装置２で機器の使用時間に応じて加算される電子マネーの額が規定値を超過する毎に、図２４のような精算要求画面をテレビ７に表示して中間精算を促すので、患者が一度に機器の使用料金を支払う負担を和らげることができる。
【０１２９】
さらに退院精算する場合は、リモコン３’を課金装置２に向けた状態で、リモコン３’の退院キー５４を押動操作すると、認証済のリモコン３’と課金装置２との間で電子マネーのやり取りが行われ、実施例１と同様に互いの認証を解除する。これにより課金装置２は、識別子記憶部８８に書き込まれたリモコン識別子のみならず、電子マネー記憶部８６に記憶される電子マネーの値をクリアして初期化され、次の患者の利用が可能になる。
【０１３０】
この後、患者がリモコン３’を窓口に持っていき、管理担当者がそのリモコン３’を精算装置１３０のリモコン挿入口１３５に挿入すると、処理用パソコン１３２の表示部１４０が、図１７に示す処理内容選択画面に切替わる。このときのリモコン認識情報は、退院キー５４を直前に操作した履歴情報が含まれているので、図１７に示す処理内容選択画面では、リモコン３’の状態が「退院処理済み」であるとリモコン状態表示部１６１に表示され、「退院精算」に対応してリモコン処理内容選択表示部１６２の記号が表示される。この状態で、決定表示部１６３に対応した操作部１４０をクリック操作すると、図２０に示す退院精算画面に切替わり、管理担当者はこれまでの利用金額をリモコン金額表示部１７１で直ちに確認できる。
【０１３１】
そして、患者がリモコン金額表示部１７１に表示される金額の全額を、精算金額として管理担当者に支払うと、その精算金額を管理担当者が操作部１４０から操作入力する。このとき精算金額表示部１７２には精算金額が表示され、未精算残金表示部１７３には未精算の残金額（＝０円）が表示される。この状態から、精算表示部１７５に対応して操作部１４０をクリック操作すると、リモコン３’の履歴情報記憶部７２に保存されるこれまでの一連の履歴情報が、全履歴情報記憶部１１５’に蓄積記憶されるが、リモコン３’の電子マネー記憶部７１には電子マネーの値が残るので、患者のベッド移動などでそのリモコン３’を別の病床で引き続き利用できる。また、患者が完全に退院した場合は、図１９の処理内容選択画面で、リモコン３’の初期化に関する処理内容を選択すればよい。
【０１３２】
なお、前述した消灯時間帯には、図１４に示す夜間照明ボタン１４７の中の何れかのキーを押動操作すると、ランプ１４６を一定時間点灯動作させることができ、点灯したランプ１４６で夜間手元照明や緊急時に便利なリモコン３’を提供できる。またランプ１４６の点灯中に夜間照明ボタン１４７の何れかのキーを再度押動操作すると、ランプ１４６を消灯させることもできる。この場合、課金装置２の計時部８３とリモコン３’の計時部６９とを同期させて、テレビ７が動作できない時間中にランプ１４６を正しく点灯／消灯させるようにしてもよい。
【０１３３】
また、消灯時間帯などのリモコン不使用時には、床頭台１２０の引き出し１２２を手前に引き出し、リモコン収容部１２１にリモコン３’を挿入した後、引き出し１２２を押し入れて、鍵で錠前機構１２３を施錠する。これにより、充電ランプ１２５が点灯してリモコン３’が自動的に充電されると共に、窓板１２４を通してリモコン３’の存在が確認できる。さらに、患者が鍵を持ち歩くことで、リモコン３’の盗難を防止できる。
【０１３４】
以上のように、本実施形態の課金システム１’は、精算機としての精算装置１３０と、この精算装置１３０との間で電子マネーの送受信が可能であり、課金対象となる機器として例えばテレビ７を遠隔操作するリモコン３’と、リモコン３’との間で双方向の通信が可能な課金装置２とを備えている。そしてリモコン３’は、第１操作体としての電源キー４１と、第２操作体としての精算キー５５’や退院キー５４と、電子マネーを記憶する第１記憶部としての電子マネー記憶部７１と、第１制御部としてのリモコン制御部６５とを備え、課金装置２は、電源キー４１が操作された後に、テレビ７の使用時間に応じて電子マネーを加算し、この加算した結果となる課金装置表示金額が、所定の規定値を超えると、精算要求画面をテレビに表示すなわち報知させる第２制御部としての課金装置制御部８１と、前記加算した結果を得るための各金額を加算額として記憶領域８６Ａ〜８６Ｇに記憶する第２記憶部としての電子マネー記憶部８６と、を備え、リモコン制御部６５はさらに、第２操作体が操作されると、電子マネー記憶部８６に記憶する加算額に対応した課金装置出金金額Ｅや未精算金額Ｑを課金装置２から取り込んで、電子マネー記憶部７１に精算装置１３０で精算を行なう電子マネーとして更新記憶させる構成を備えている。
【０１３５】
この場合も、課金装置２との専用の双方向通信機能を持ったリモコン３’を、予め患者に預けておけば、電源キー４１が操作された後に、テレビ７などの各種機器が利用可能となる。また、課金装置２はテレビ７の使用時間に応じて電子マネーを加算し、その結果を得るための各金額を、電子マネー記憶部８６の記憶領域８６Ａ〜８６Ｇに加算額として記憶するが、課金装置表示金額が規定額になった場合には、精算キー５５’や退院キー５４を操作したリモコン３’を窓口に持っていき、精算装置１３０で電子マネーの精算処理を行なうことで、テレビ７を継続的に利用したり、最終的な精算を行なったりすることができる。したがって、この後精算方式ではリモコン入金機５およびリモコン精算機６が不要となるため、設備コストの低減化が図れ、また最初に利用者である患者がリモコン入金機５で入金を行なう手間も省ける。さらに、リモコン３’の電子マネー記憶部７１に記憶保持される各種電子マネーは、最終的に支払精算されるだけのもので、この電子マネーを課金対象の機器などに利用できる訳ではない。従って、リモコン３’が盗難されても悪用されない後精算方式特有の利点がある。
【０１３６】
このように、本来はテレビ７を遠隔操作するだけのリモコン３に、精算装置１３０や課金装置２との間で電子マネーを受け渡す機能を付加させることで、従来の磁気ヘッドや専用のカードインターフェースを不要にして、課金装置２を小型化することができ、床頭台１２０での課金装置２の設置場所を節約できると共に、課金装置２の製造原価を低減できる。また、磁気カードのような使い捨ても回避でき、ランニングコストを低減してエコにつなげることができる。さらに、リモコン３はカードと違ってコピーによる偽造ができず、カードよりも高額の電子マネーを利用できるので、滞留金が増えて高い資金運用が可能になると共に、使用者がわざわざカードを購入する手間も省ける。したがって、磁気カードを用いることによる無駄を省き、非接触式カードのようなコスト上昇を回避して、テレビ７の使用に応じた有料課金を可能にする課金システム１’を提供できる。
【０１３７】
また、本実施例形態のリモコン制御部６５はさらに、リモコン３’の退院キー５４が操作されると、テレビ７や冷蔵庫８の使用履歴を履歴情報の中の機器履歴情報として課金装置２から取り込む構成を、履歴情報制御処理部７６として備えており、また精算装置１３０は、リモコン３’との間で電子マネーの精算を行なう毎に、退院キー５４が操作されたリモコン３’から機器履歴情報を取り込んで蓄積保存する第３記憶部としての全履歴情報記憶部１１５’を備えている。
【０１３８】
この場合も、退院キー５４を操作する際に、テレビ７や冷蔵庫８のそれまでの使用状況が機器履歴情報としてリモコン３’に取り込まれ、精算装置１３０で電子マネーを精算処理すると、リモコン３’に取り込まれた機器履歴情報が精算装置１３０に転送される。この機器履歴情報は、電子マネーの精算処理を行なう度に精算装置１３０に取り込まれ、リモコン３’からの全ての機器履歴情報が全履歴情報記憶部１１５に蓄積保存される。したがって、課金システム１’内の機器全体の使用状況を精算装置１３０で一元管理でき、全履歴情報記憶部１１５から読み出した全ての機器履歴情報から、課金システム１’全体の売り上げなどを示す申告用の利用リストを簡単に作成したり、各課金装置２のタイマーチェックやセンターサーバーなどを不要にしたりすることが可能となる。
【０１３９】
また、本実施形態におけるリモコン３’は、第１操作体となる電源キー４１が操作されると、課金装置２に個別に割り当てられた課金装置識別子を、その課金装置２から取り込んで記憶する第４記憶部としての識別子記憶部７３を備え、課金装置２は、電源キー４１が操作されると、リモコン３’に個別に割り当てられたリモコン識別子を、そのリモコン３’から取り込んで記憶する第５記憶部としての識別子記憶部８８を備え、課金装置２から取り込んだ課金装置識別子と、識別子記憶部７３に記憶する課金装置識別子が一致し、且つリモコン３’から取り込んだリモコン識別子と、識別子記憶部８８に記憶するリモコン識別子が一致した時にのみ、リモコン３’と課金装置２との間の双方向の通信を許可する構成を備えている。
【０１４０】
この場合、最初にリモコン３’の電源キー４１を操作すると、課金装置２に固有の課金装置識別子とリモコン３’に固有のリモコン識別子が、リモコン３’の識別子記憶部７３と課金装置２の識別子記憶部８８にそれぞれ記憶され、リモコン３’と課金装置２は互いの通信先が認識される。したがって、リモコン３の保管さえ注意すれば、カード式のような盗難を防ぐことが可能になる。
【０１４１】
以上、本発明の実施形態について説明したが、当該実施形態はあくまでも一つの例示に過ぎず、発明の要旨を逸脱しない範囲で、種々の省略、置換、変更が可能である。例えば、上述した課金システム１を、例えば病院以外のホテルや宿泊施設などに適用させることも可能である。また、課金対象となる機器も、例えばランドリーなどで使用する洗濯機や乾燥機に適用させてもよい。この場合、退院時の処理で課金装置２からリモコン３に電子マネーを移動するか、新たにリモコン入金機５でリモコン３に電子マネーを入金すれば、このリモコン３を洗濯機や乾燥機の動作を制御する別な課金装置（図示せず）に接続することで、こうした洗濯機や乾燥機の利用が可能になる。さらに、第１操作体や第２操作体は、どのキーを割り当ててもよく、その名称や形状なども、適宜変更して構わない。
【符号の説明】
【０１４２】
２  課金装置
３，３’  リモコン
５  リモコン入金機（交換機）
６  リモコン精算機（交換機）
７  テレビ（機器）
４１  電源キー（第１操作体）
５４  退院キー（第２操作体）
５５’  精算キー（第２操作体）
５６  送金キー（第１操作体）
６５  リモコン制御部（第１制御部）
７１  電子マネー記憶部（第１記憶部）
７３  識別子記憶部（第４記憶部）
８６  電子マネー記憶部（第２記憶部）
８８  識別子記憶部（第５記憶部）
１１５，１１５’  全履歴情報記憶部（第３記憶部）
【図１】
0006364040.tif 000005
【図２】
0006364040.tif 000006
【図３】
0006364040.tif 000007
【図４】
0006364040.tif 000008
【図５】
0006364040.tif 000009
【図６】
0006364040.tif 000010
【図７】
0006364040.tif 000011
【図８】
0006364040.tif 000012
【図９】
0006364040.tif 000013
【図１０】
0006364040.tif 000014
【図１１】
0006364040.tif 000015
【図１２】
0006364040.tif 000016
【図１３】
0006364040.tif 000017
【図１４】
0006364040.tif 000018
【図１５】
0006364040.tif 000019
【図１６】
0006364040.tif 000020
【図１７】
0006364040.tif 000021
【図１８】
0006364040.tif 000022
【図１９】
0006364040.tif 000023
【図２０】
0006364040.tif 000024
【図２１】
0006364040.tif 000025
【図２２】
0006364040.tif 000026
【図２３】
0006364040.tif 000027
【図２４】
0006364040.tif 000028
【図２５】
0006364040.tif 000029